(57)【要約】【課題】ＩＣタグを容易に配置して使用することができる歯科用ハンドピースを提供することを課題とする。【解決手段】歯科用ハンドピース１は、先端部に配設されたハンドピースヘッド２と、後端部に配設された接続部３と、ハンドピースヘッド２と接続部３とを連通する複数の金属製パイプ４，５と、ハンドピースヘッド２の後端部から接続部３の先端部まで金属製パイプ４，５を覆うように装着された弾性樹脂部材６と、を有し、接続部３を歯科用ユニットに接続して使用するものである。弾性樹脂部材６の内部には、ＩＣタグ９を設けている。【選択図】図１
2019126535.tif 000002
【特許請求の範囲】
【請求項１】
先端部に配設されたハンドピースヘッドと、
後端部に配設された接続部と、
前記ハンドピースヘッドと前記接続部とを連通する複数の金属製パイプと、
前記ハンドピースヘッドの後端部から前記接続部の先端部まで前記金属製パイプを覆うように装着された弾性樹脂部材と、を有し、
前記接続部を歯科用ユニットに接続して使用する歯科用ハンドピースであって、
前記弾性樹脂部材の内部にＩＣタグを設けていること、
を特徴とする歯科用ハンドピース。
【請求項２】
前記ＩＣタグは、前記弾性樹脂部材の内部に配置されて、当該ＩＣタグを収納可能な凹型の嵌入部内に設けられていること、
を特徴とする請求項１に記載の歯科用ハンドピース。
【請求項３】
前記弾性樹脂部材には、前記ＩＣタグを収容するための凹部が形成されていること、
を特徴とする請求項１に記載の歯科用ハンドピース。
【請求項４】
前記凹部は、前記弾性樹脂部材の外周部に形成され、
前記ＩＣタグは、前記凹部を蓋体で閉塞することによって、弾性樹脂部材に内在されていること、
を特徴とする請求項３に記載の歯科用ハンドピース。
【請求項５】
前記凹部は、前記弾性樹脂部材の外周部に形成され、
前記ＩＣタグは、前記凹部を接着剤、または、合成樹脂で閉塞することによって、弾性樹脂部材に内在されていること、
を特徴とする請求項３に記載の歯科用ハンドピース。
【請求項６】
前記ＩＣタグは、前記金属製パイプの外周面に固定されて、前記弾性樹脂部材内に埋設されていること、
を特徴とする請求項１に記載の歯科用ハンドピース。
【請求項７】
前記ＩＣタグは、前記弾性樹脂部材に形成されたタグ収容穴に圧入されていること、
を特徴とする請求項１に記載の歯科用ハンドピース。
【請求項８】
前記ＩＣタグは、ＲＦＩＤタグであること、
を特徴とする請求項１から請求項７のうちのいずれか１項に記載の歯科用ハンドピース。
【請求項９】
前記ＩＣタグには、前記歯科用ハンドピースの使用時間、使用回数、滅菌回数、保守・点検の履歴のうちの少なくとも１つのデータが記憶されていること、
を特徴とする請求項１から請求項８のうちのいずれか１項に記載の歯科用ハンドピース。
【請求項１０】
請求項１から請求項９のうちのいずれか１項に記載の前記歯科用ハンドピースと、
前記歯科用ハンドピースの使用時間、使用回数、滅菌回数、保守・点検の履歴のうちの少なくとも１つのデータの読み取り、及び、書き込みを前記ＩＣタグに行う、外部に設けられた制御装置に接続されたリーダライタを備え、
前記記憶した履歴を前記歯科用ハンドピースの使用状況として前記制御装置から把握可能にしたこと、
を特徴とする歯科用ハンドピース管理システム。
【請求項１１】
前記制御装置は、さらに、当該制御装置に接続されたネットワークを経由して表示装置に、前記使用状況から前記弾性樹脂部材の交換時期を伝達可能にしたこと、
を特徴とする請求項１０に記載の歯科用ハンドピース管理システム。
【請求項１２】
前記制御装置は、前記使用状況から前記弾性樹脂部材の交換時期を伝達可能にした歯科用診療装置であること、
を特徴とする請求項１０に記載の歯科用ハンドピース管理システム。
【請求項１３】
前記弾性樹脂部材は、前記歯科用ハンドピースに交換可能に設けられ、
前記制御装置は、前記使用状況から前記弾性樹脂部材の交換時期を表示装置に表示して、
前記弾性樹脂部材の交換を必要とする場合は、前記歯科用ハンドピースの前記弾性樹脂部材以外の部材を残し、前記弾性樹脂部材のみを交換可能にしたこと、
を特徴とする請求項１０に記載の歯科用ハンドピース管理システム。
【請求項１４】
先端部に配設されたハンドピースヘッドと、後端部に配設された接続部と、前記ハンドピースヘッドと前記接続部とを連通する金属製パイプと、を有する歯科用ハンドピースの製造方法であって、
樹脂モールド成形によって、前記ハンドピースヘッドの後端部から前記接続部の先端部まで前記金属製パイプを覆うように弾性樹脂部材をモールドして、前記弾性樹脂部材の内部に埋設された状態で前記金属製パイプと、ＩＣタグと、を内在させること、
を特徴とする歯科用ハンドピースの製造方法。
【請求項１５】
先端部に配設されたハンドピースヘッドと、後端部に配設された接続部と、前記ハンドピースヘッドと前記接続部とを連通する金属製パイプと、を有する歯科用ハンドピースの製造方法であって、
樹脂モールド成形によって、前記ハンドピースヘッドの後端部から前記接続部の先端部まで前記金属製パイプを覆うように弾性樹脂部材を樹脂モールド成形する第１モールド成形工程と、
前記第１モールド成形工程で樹脂モールド成形した後にＩＣタグを前記弾性樹脂部材に置き、再度樹脂モールド成形する第２モールド成形工程と、
を有すること、
を特徴とする歯科用ハンドピースの製造方法。
【請求項１６】
先端部に配設されたハンドピースヘッドと、後端部に配設された接続部と、前記ハンドピースヘッドと前記接続部とを連通する金属製パイプと、を有する歯科用ハンドピースの製造方法であって、
樹脂モールド成形によって、前記ハンドピースヘッドの後端部から前記接続部の先端部まで前記金属製パイプ及び前記金属製パイプに固定されたＩＣタグを覆うように弾性樹脂部材を樹脂モールド成形して、前記弾性樹脂部材の内部に埋設された状態で前記金属製パイプと、前記ＩＣタグと、を内在させること、
を特徴とする歯科用ハンドピースの製造方法。
【発明の詳細な説明】
【技術分野】
【０００１】
本発明は、ＩＣタグを有する歯科用ハンドピース、歯科用ハンドピース管理システム及び歯科用ハンドピースの製造方法に関する。
【背景技術】
【０００２】
従来、ＲＦＩＤタグ等のＩＣタグを備えた歯科用ハンドピースとしては、例えば、特許文献１に記載された医療用診察装置が知られている。特許文献１に記載された医療用診察装置は、接続ユニットの先端部にＲＦＩＤリーダライタを備え、その先端部に対向配置した金属製のハンドピースの基端側対向面に、ＲＦＩＤタグを備えている。そのＲＦＩＤタグは、ハンドピースが滅菌処理を行ったかの情報である滅菌処理情報を記憶する滅菌処理情報記憶部を備えている。
【先行技術文献】
【特許文献】
【０００３】
【特許文献１】特開２０１７−２９６４１号（図２及び図３）
【発明の概要】
【発明が解決しようとする課題】
【０００４】
しかしながら、特許文献１に記載された歯科用ハンドピースは、金属製の把持部外部カバーに、ＲＦＩＤタグを入れ込むための収容部を形成する必要があるので、収容部を形成するための加工が行い難いという問題があった。
また、ＲＦＩＤタグを設置する箇所が金属製のハンドピースの基端側対向面である場合は、ＲＦＩＤタグが電磁波の影響を受け易いという問題点もあった。
【０００５】
そこで、本発明は、ＩＣタグを容易に配置して使用することができる歯科用ハンドピース、歯科用ハンドピース管理システム及び歯科用ハンドピースの製造方法を提供することを課題とする。
【課題を解決するための手段】
【０００６】
前記課題を解決するため、本発明に係る歯科用ハンドピースは、先端部に配設されたハンドピースヘッドと、後端部に配設された接続部と、前記ハンドピースヘッドと前記接続部とを連通する複数の金属製パイプと、前記ハンドピースヘッドの後端部から前記接続部の先端部まで前記金属製パイプを覆うように装着された弾性樹脂部材と、を有し、前記接続部を歯科用ユニットに接続して使用する歯科用ハンドピースであって、前記弾性樹脂部材の内部にＩＣタグを設けていることを特徴とする。
【０００７】
また、本発明に係る歯科用ハンドピース管理システムは、前記歯科用ハンドピースと、前記歯科用ハンドピースの使用時間、使用回数、滅菌回数、保守・点検の履歴のうちの少なくとも１つのデータの読み取り、及び、書き込みを前記ＩＣタグに行う、外部に設けられた制御装置に接続されたリーダライタを備え、前記記憶した履歴を前記歯科用ハンドピースの使用状況として前記制御装置から把握可能にしたことを特徴とする。
【０００８】
また、本発明に係る歯科用ハンドピースの製造方法は、先端部に配設されたハンドピースヘッドと、後端部に配設された接続部と、前記ハンドピースヘッドと前記接続部とを連通する金属製パイプと、を有する歯科用ハンドピースの製造方法であって、樹脂モールド成形によって、前記ハンドピースヘッドの後端部から前記接続部の先端部まで前記金属製パイプを覆うように弾性樹脂部材をモールドして、前記弾性樹脂部材の内部に埋設された状態で前記金属製パイプと、ＩＣタグと、を内在させることを特徴とする。
【発明の効果】
【０００９】
本発明は、ＩＣタグを容易に配置して使用することができる歯科用ハンドピース、歯科用ハンドピース管理システム及び歯科用ハンドピースの製造方法を提供することができる。
【図面の簡単な説明】
【００１０】
【図１】本発明の実施形態に係る歯科用ハンドピースを示す側面図である。
【図２】本発明の実施形態に係る歯科用ハンドピースを示す一部断面を有する側面図である。
【図３】本発明の実施形態に係る歯科用ハンドピース管理システムを示すブロック図である。
【図４】（ａ）、（ｂ）、（ｃ）は、本発明の実施形態に係る歯科用ハンドピースの製造方法を示す工程図である。
【図５】歯科用ハンドピースの製造方法の金型成形工程を示す工程図である。
【図６】本発明の実施形態に係る歯科用ハンドピースの第１変形例を示す一部断面を有する側面図である。
【図７】本発明の実施形態に係る歯科用ハンドピースの第２変形例を示す一部断面を有する側面図である。
【図８】本発明の実施形態に係る歯科用ハンドピースの第３変形例を示す一部断面を有する側面図である。
【図９】本発明の実施形態に係る歯科用ハンドピースの第４変形例を示す一部断面を有する側面図である。
【図１０】本発明の実施形態に係る歯科用ハンドピースの第９変形例を示す図であり、（ａ）は一部断面を有する側面図、（ｂ）は（ａ）のＡ−Ａ拡大断面図である。
【図１１】本発明の実施形態に係る歯科用ハンドピースの第１０変形例を示す図であり、（ａ）は（ｂ）のＢ−Ｂ断面図、（ｂ）は一部断面を有する側面図である。
【発明を実施するための形態】
【００１１】
まず、図１〜図５を参照して、本発明の実施形態に係る歯科用ハンドピース１、歯科用ハンドピース管理システム１００及び歯科用ハンドピース１の製造方法について説明する。
なお、本実施形態では、図１に示す歯科用ハンドピース１において、ハンドピースヘッド２側を前方向、接続部３側を後方向として説明する。また、各部品においても同様とする。
【００１２】
≪歯科用ハンドピース管理システム≫
図３に示すように、歯科用ハンドピース管理システム１００は、ＩＣタグ９を有する歯科用ハンドピース１と、リーダライタ２１０、ＣＰＵ２２０、表示装置２３０及び外部通信手段２４０を有する制御装置２００（歯科用ユニットＤＵ）と、診療室３００に配置された情報処理装置３１０及び表示装置３２０と、コールセンタ４００に配置された情報処理装置４１０及び表示装置４２０と、メーカ５００に配置された情報処理装置５１０及び表示装置５２０と、クラウドサーバー６００と、を備えて構成されている。
【００１３】
歯科用ハンドピース管理システム１００は、後記する歯科用ハンドピース１に設けたＩＣタグ９から情報を飛ばし、制御装置２００（例えば、歯科用ユニットＤＵ）内に設けたリーダライタ２１０が情報を受信し、リーダライタ２１０からＣＰＵ２２０にデータを転送し、ＣＰＵ２２０において使用状況等から後記する弾性樹脂部材６の交換時期を算出し、ＣＰＵ２２０からデータを転送し、弾性樹脂部材６の交換時期を制御装置２００に設けた表示装置２３０に表示し、術者等に知らせる。
【００１４】
また、ＣＰＵ２２０からのデータは、制御装置２００に設けた外部通信手段２４０から、ネットワークを経由して、歯科医院内の診療室３００や、コールセンタ４００や、メーカ５００等にある情報処理装置３１０，４１０，５１０に伝達する。これにより、メーカ５００等が弾性樹脂部材６の交換時期を把握することができる。
さらに、ＣＰＵ２２０からのデータは、外部通信手段２４０からネットワークを経由してクラウドサーバー６００に保存されてもよい。その保存されたデータは、診療室３００、コールセンタ４００、メーカ５００の各情報処理装置３１０，４１０，５１０から表示装置３２０，４２０，５２０に表示することができる。
これらの交換情報から、弾性樹脂部材６の交換を必要とする場合は、歯科用ハンドピース１の弾性樹脂部材６以外の部材を残し、弾性樹脂部材６のみを交換可能にすることができる。
【００１５】
≪歯科用ハンドピース≫
図１に示す歯科用ハンドピース１は、歯科の治療に用いられる医療機器である。歯科用ハンドピース１は、ハンドピースヘッド２と、接続部３と、金属製パイプ４，５と、弾性樹脂部材６と、ＩＣタグ９と、を備えている。歯科用ハンドピース１は、弾性樹脂部材６の内部にＩＣタグ９を備えている。その歯科用ハンドピース１は、接続部３を制御装置２００（図３参照）に接続して、所望の切削工具７をハンドピースヘッド２に取り付けて使用される。
【００１６】
なお、歯科用ハンドピース１は、ハンドピースヘッド２と、接続部３と、複数の金属製パイプ４，５と、弾性樹脂部材６と、ＩＣタグ９と、を備えていれば、機能、構造、種類等は特に限定されない。つまり、歯科用ハンドピース１は、種々のタイプのものがあり、内部にバッテリまたは外部電源からの電力で駆動するモータ（図示省略）等が内蔵されているものであっても、内蔵されていないものでもよい。また、歯科用ハンドピース１は、ハンドピースヘッド２に歯科用チップを設け電力によって超音波振動させる歯科用スケーラーでもよい。また、歯科用ハンドピース１は、電力以外で駆動するものでもよい。以下、ハンドピースヘッド２にロータ（図示省略）を内蔵している歯科用ハンドピース１を例に挙げて説明する。
【００１７】
＜ハンドピースヘッド＞
ハンドピースヘッド２は、切削工具７が着脱可能に取り付けられる部位である。ハンドピースヘッド２は、歯科用ハンドピース１のグリップ部１ａの先端部に設けられた略円筒状の部材である。ハンドピースヘッド２及び接続部３は、ステンレス鋼等の金属によって形成されている。ハンドピースヘッド２には、下部側に形成された切削工具７着脱用の開口穴２ａと、グリップ部１ａが連結される首部２ｂと、切削工具７を回転駆動させるロータ（図示省略）等が設けられている。
【００１８】
首部２ｂの後端側の外周部には、弾性樹脂部材６で覆った状態に樹脂が成形されている。ロータ（図示省略）を内蔵したタイプの歯科用ハンドピース１は、ハンドピースヘッド２内のロータ（図示省略）を圧縮空気によって高速回転させて、ロータ軸に装着された切削工具７を高速回転させることで、歯牙を切削するようになっている。
【００１９】
＜切削工具＞
切削工具７は、ハンドピースヘッド２の開口穴２ａ内に取り付けられる柄部と、開口穴２ａから突出した状態に設けられる先細状の針部と、を有する周知の構造を呈している。
【００２０】
＜接続部＞
接続部３は、金属製パイプ４，５の後端部と、歯科用ユニットＤＵ（図３参照）に接続されたチューブ（図示省略）の先端部と、を接続する部位であり、その形状、構造等は、特に限定されない。接続部３は、その一例を挙げると、図２に示すように、弾性樹脂部材６の後端部に一体に取り付けられる略筒状の金属製部材から成る。接続部３は、軸方向に貫通して形成された連通孔３ａと、前端部寄りの位置に環状に形成された凹部３ｂと、本体被覆部後端面６ｄに隣接された段差部３ｃと、金属製パイプ４，５が挿入されるパイプ挿設孔３ｄ，３ｅと、を有している。
【００２１】
＜金属製パイプ＞
金属製パイプ４，５は、ハンドピースヘッド２と接続部３とを連通させるための管状部材である。金属製パイプ４，５は、ハンドピースヘッド２から接続部３に亘って弾性樹脂部材６内に配置された複数の金属管から成る。金属製パイプ４，５は、従来の配管と同様に、ロータ用などの圧縮空気を供給・排気したり、水や空気を供給したりするための流路を形成している。金属製パイプ４，５は、例えば、４本から成るが、その数は特に限定されない。
【００２２】
金属製パイプ４は、例えば、図２に示すように、ロータ（図示省略）を回転させるための圧縮空気供給用のパイプと、圧縮空気排気用のパイプとの２本から成る（図５参照）。この２本の金属製パイプ４は、接続部３及び弾性樹脂部材６において、縦断面視して略中央部分の左右に配置されている。
【００２３】
また、金属製パイプ５は、水を供給するための水供給用のパイプと、その水と共にエアを供給してミスト（霧）を生成するためのチップ用エアを供給するパイプとの２本から成る（図５参照）。つまり、２本の金属製パイプ５は、切削工具７を冷却して作業効率をよくしたり、また、治療中に血液などで汚れた患部を視認し易くしたりする目的で、異物等を吹き飛ばすために使用される。金属製パイプ５は、金属製パイプ４よりも小径に形成されている。
【００２４】
図２に示すように、グリップ部１ａにおいて、金属製パイプ４，５の外周部は、ＩＣタグ９を載置した状態で、弾性樹脂部材６の内部に密着して埋設された状態で内在されている。このため、金属製パイプ４，５は、グリップ部１ａにおける骨部材の役目と、ＩＣタグ９を載置して支持する役目と、を果している。金属製パイプ４，５の前端部は、首部２ｂの後端面２ｃからハンドピースヘッド２内に挿入されている。金属製パイプ４，５の前端部は、ハンドピースヘッド２の後端面２ｃに、ろう付け等によって接合されている。金属製パイプ４，５の後端部は、接続部３を貫通した状態で接続部３の後端部からはみ出すように突出して配設されている。金属製パイプ４，５の後端部は、接続部３の前端面３ｆにろう付け等によって接合されている。
【００２５】
＜弾性樹脂部材＞
弾性樹脂部材６は、金属製パイプ４，５及びＩＣタグ９を覆う表皮部材である。弾性樹脂部材６は、ハンドピースヘッド２の後端部から接続部３の先端部までを、金属製パイプ４，５を覆うようにして装着されている。弾性樹脂部材６は、本体被覆部６ａと、シール部６ｂと、連通部６ｃと、本体被覆部後端面６ｄと、係止部６ｅと、ヘッド後端部被覆部６ｆと、を備えている。
【００２６】
弾性樹脂部材６は、例えば、金属よりも軽く、可撓性及び弾力性を有する熱硬化性樹脂から成る。弾性樹脂部材６は、具体的には無色のシリコーン樹脂を所望の色に着色した有色の合成樹脂から成る。弾性樹脂部材６は、例えば、図５に示すように、金属製パイプ４，５の周囲にＩＣタグ９を介在させて、巻き付けたテープ形状（シート形状）の巻付樹脂部材６１を高温に加熱された金型８内に配置されることで、溶けてグリップ部１ａにモールド成形される。
【００２７】
図１及び図２に示すように、本体被覆部６ａによって形成されたグリップ部１ａは、術者が手で握って操作するための部位である。グリップ部１ａは、金属製パイプ４，５及びＩＣタグ９を内蔵した本体被覆部６ａによって断面視して略円形状に形成されている。
本体被覆部６ａは、ハンドピースヘッド２の後端部から接続部３の先端部までを金属製パイプ４，５を覆うように装着された部位である。本体被覆部６ａは、側面視して円弧状に曲がって形成されている。
【００２８】
図２に示すシール部６ｂは、接続部３を歯科用ユニットＤＵ（図３参照）に接続したときに、接続部３と、接続部３に接続される歯科用ユニットＤＵ（図３参照）と、の間に介在されるパッキンの役目を果す部位である。シール部６ｂは、接続部３の後端面全体を覆うようにして装着されている。
【００２９】
連通部６ｃは、接続部３の連通孔３ａ内に充填された樹脂材料である。連通部６ｃは、本体被覆部６ａとシール部６ｂとを連通させて繋いだ状態に形成されている。
本体被覆部後端面６ｄは、段差部３ｃとで凹溝を形成するように配置されて、樹脂成形時に、本体被覆部後端面６ｄに形成されたバリを、取り除き易い形状に形成されている。
【００３０】
係止部６ｅは、環状の凹部３ｂ内に充填して形成された樹脂材料である。係止部６ｅ及び連通部６ｃは、弾性樹脂部材６が接続部３から剥離するのを防止する機能がある。
ヘッド後端部被覆部６ｆは、首部２ｂの後端面２ｃと、後端面２ｃの周縁部分と、を覆う部位である。このように構成されたヘッド後端部被覆部６ｆは、首部２ｂの後端面２ｃに密着した状態に形成されることによって、弾性樹脂部材６がハンドピースヘッド２側に移動するのを抑制する役目を果す。
【００３１】
図５に示すように、巻付樹脂部材６１は、金型８でモールド形成された弾性樹脂部材６（図１参照）のグリップ部１ａを金型形成する前の樹脂材料である。巻付樹脂部材６１は、所望の厚さに形成されたテープ形状（帯形状）のものから成る。その巻付樹脂部材６１は、グリップ部１ａに形成された弾性樹脂部材６と略同じ体積の分だけ、ハンドピースヘッド２と接続部３との間の金属製パイプ４，５の外周に巻かれる。巻付樹脂部材６１は、金属製パイプ４，５の外周に、ＩＣタグ９を固定するようにして巻き付けられる。
【００３２】
≪ＩＣタグ≫
ＩＣタグ９は、ＲＦＩＤタグ等のＲＦタグや、非接触型の電子タグから成る。以下、ＩＣタグ９の一例としてＲＦＩＤタグの場合を例に挙げて説明する。ＩＣタグ９は、ＲＦＩＤ用のＩＣチップと、このＩＣチップに通信のために接続した不図示のアンテナと、記憶部と、を備えている。ＩＣタグ９は、前記したように歯科用ハンドピース１の弾性樹脂部材６に内設されている。ＩＣタグ９には、歯科用ハンドピース１の洗浄・消毒の履歴、洗浄・消毒の処理条件、保守・点検の履歴、歯科用ハンドピース１の識別データ、シリアルナンバー等が記憶される。ＩＣタグ９は、リーダライタ２１０（図３参照）から送られる電磁波や、電磁波で起電力を得て、その応答をリーダライタ２１０（図３参照）に返す機能を備え、無線通信によるデータ交信が可能になっている。
【００３３】
図３に示すリーダライタ２１０は、ＩＣタグ９に記憶されているデータの読み取りと、書き込みを行うための端末装置であり、例えば、平面状のループアンテナから成るアンテナ（図示省略）と、記憶部と、を内蔵している。リーダライタ２１０は、ＣＰＵ２２０を介して歯科用ユニットＤＵの表示装置２３０、あるいは、パソコン（図示省略）に接続されている。
制御装置２００のＣＰＵ２２０、あるいは、パソコン（図示省略）は、ＩＣタグ９に記憶されているデータを表示したり、そのデータを書き換えたり、ＩＣタグ９を管理したりする中央処理装置である。
【００３４】
≪作用≫
次に、図１〜図５を参照しながら製造工程に沿って本実施形態に係る歯科用ハンドピース１、歯科用ハンドピース管理システム１００及び歯科用ハンドピース１の製造方法の作用を説明する。
【００３５】
まず、図４（ａ）に示すように、前記したハンドピースヘッド２と、接続部３と、４本の金属製パイプ４，５と、をそれぞれ製造して準備する（準備工程）。
次に、それぞれの金属製パイプ４，５の先端部をハンドピースヘッド２の挿入穴（図示省略）に挿入し、各金属製パイプ４，５の後端部を接続部３のそれぞれのパイプ挿設孔３ｄ，３ｅに挿通する（金属製パイプ挿入工程）。
【００３６】
続いて、図４（ｂ）に示すように、各金属製パイプ４，５の前側接合部４ａ，５ａを、ハンドピースヘッド２の後端面２ｃにろう付けして接合すると共に、金属製パイプ４，５の後側接合部４ｂ，４ｃ，５ｂ，５ｃを接続部３の前端面３ｆ及び後端面３ｇにろう付けして接合する（パイプろう付け工程）。これにより、各金属製パイプ４，５をハンドピースヘッド２及び接続部３に固定することができる。
【００３７】
次に、金属製パイプ４，５の上にＩＣタグ９を載置する（ＩＣタグ配置工程）。
続いて、図４（ｃ）に示すように、ハンドピースヘッド２の後端部から接続部３の先端部に亘って巻付樹脂部材６１を巻き付けて、ＩＣタグ９を覆って固定させる（ＩＣタグ固定工程）。
【００３８】
この後、図５に示す金型８で歯科用ハンドピース１をモールド成形する前に、上型８１と下型８２とで巻付樹脂部材６１を溶かしてグリップ部１ａをモールド成形するのに適した適温まで金型８を加熱する（加熱工程）。
【００３９】
続いて、巻付樹脂部材６１を巻き付けた未完成の歯科用ハンドピース１を、下型８２の金型溝に押し込んでセットする（金型セット工程）。
【００４０】
次に、下型８２の位置決め突起８２ｂに上型８１の位置決め穴（図示省略）に嵌合させて、下型８２と上型８１とので未完成の歯科用ハンドピース１を押圧する。未完成の歯科用ハンドピース１の巻付樹脂部材６１は、高温に加熱された下型８２と上型８１とで押圧されることで、溶融してモールド成形され、図１及び図２に示すＩＣタグ９を内設した弾性樹脂部材６から成るグリップ部１ａが形成される（モールド成形工程）。
これにより、ＩＣタグ９を有する歯科用ハンドピース１が完成される。
【００４１】
このようにして形成された歯科用ハンドピース１は、ハンドピースヘッド２に切削工具７を取り付けて、エアを供給することによってロータ（図示省略）が回転駆動されることで、切削工具７が回転して患者の歯を治療することが可能となる。
【００４２】
また、歯科用ハンドピース１を洗浄・消毒する場合は、ＩＣタグ９に記憶されている識別データを図３に示すリーダライタ２１０で読み取って判別し、制御装置２００のＣＰＵ２２０のデータベースと照合させて、適切な洗浄処理、及び、消毒処理を行う。
【００４３】
次に、洗浄処理、及び、消毒処理が完了した場合は、リーダライタ２１０でＩＣタグ９（図２参照）に、アンテナを介して電力を供給して、その洗浄処理、及び、消毒処理を実施した記録を送信データとして送信して記憶させる。このようにして、洗浄処理、及び、消毒処理を実施する度に、洗浄処理及び消毒処理の回数を１回ずつ加算させて、その履歴をＩＣタグ９に記憶させる。
【００４４】
続いて、リーダライタ２１０は、送信状態から受信状態に切り換わって、ＩＣタグ９（図２参照）から更新されたデータを、アンテナを介して受信する。そして、リーダライタ２１０で読み出した洗浄処理及び消毒処理のデータから実施した回数が予め設定した所定の回数を超えた場合には、所定の回数以上となったことを制御装置２００の表示装置２３０に報知して、部品の交換時期を知らせることができる。また、歯科用ハンドピース１は、ＩＣタグ９（図２参照）を備えていることで、歯科用ハンドピース１の保守・点検を定期的な時期に行うように、表示装置２３０によって促すことも可能である。
【００４５】
図１及び図２に示すように、本発明に係る歯科用ハンドピース１は、先端部に配設されたハンドピースヘッド２と、後端部に配設された接続部３と、ハンドピースヘッド２と接続部３とを連通する複数の金属製パイプ４，５と、ハンドピースヘッド２の後端部から接続部３の先端部まで金属製パイプ４，５を覆うように装着された弾性樹脂部材６と、を有し、接続部３を制御装置２００（図３参照）に接続して使用する歯科用ハンドピース１であって、弾性樹脂部材６の内部にＩＣタグ９を設けている。
【００４６】
これにより、歯科用ハンドピース１は、ＩＣタグ９を、弾性樹脂部材６の内部に埋設された状態に内在させて、薬剤や、菌や、塵内等が接触しないように配置することができる。また、弾性樹脂部材製のグリップ部１ａは、金属製のものと比較して、熱伝導性が低いので、滅菌処理した際の熱がＩＣタグ９に伝わるのを抑制することができる。また、歯科用ハンドピース１は、グリップ部１ａの弾性樹脂部材６を樹脂成形する際に、ＩＣタグ９を弾性樹脂部材６内に設けることができるので、ＩＣタグ９を容易に配置して使用することができる。さらに、ＩＣタグ９は、電磁波の影響を受け難い。
【００４７】
また、ＩＣタグ９には、歯科用ハンドピース１の使用時間、使用回数、滅菌回数、保守・点検の履歴のうちの少なくとも１つのデータが記憶されていることが好ましい。
これにより、ＩＣタグ９は、歯科用ハンドピース１の使用時間、使用回数、滅菌回数、保守・点検の履歴等を記憶しているので、それを読み取ることで、弾性樹脂部材６の交換時期や、保守点検する時期等を把握することができる。
【００４８】
また、本発明に係る歯科用ハンドピース１は、先端部に配設されたハンドピースヘッド２と、後端部に配設された接続部３と、ハンドピースヘッド２と接続部３とを連通する複数の金属製パイプ４，５と、ハンドピースヘッド２の後端部から接続部３の先端部まで複数の金属製パイプ４，５を覆うように装着された弾性樹脂部材６と、を有し、接続部３を歯科用ユニットＤＵに接続して使用する歯科用ハンドピース１であって、複数の金属製パイプ４，５の外周部が弾性樹脂部材６の内部に密着して埋設された状態で内在すると共に、弾性樹脂部材６は、ハンドピースヘッド２、接続部３、及び、各金属製パイプ４，５のそれぞれの間に隙間なく密着した状態に形成されていることが好ましい。
【００４９】
これにより、歯科用ハンドピース１の金属製パイプ４，５の外周部は、弾性樹脂部材６の内部に密着して埋設された状態で内在されていることで、金属製パイプ４，５の外周部を弾性樹脂部材６で隙間が無く覆って、気密性を高めることができる。特に、弾性樹脂部材６は、接続部３の後端部を覆うことで、薬剤や、菌や、塵内等が部材内に侵入するのを防止することができる。
また、弾性樹脂部材６は、ハンドピースヘッド２、接続部３、及び、各金属製パイプ４，５を隙間なく密着した状態に形成されていることで、それらの部材をガタツキなく覆って保持することができる。弾性樹脂部材６は、金属製のものと比較して、軽量化することができると共に、熱伝導性が低いので、滅菌処理後に直ぐに使用することができる。
【００５０】
また、図３に示すように、本発明に係る歯科用ハンドピース管理システム１００は、歯科用ハンドピース１と、歯科用ハンドピース１の使用時間、使用回数、滅菌回数、保守・点検の履歴のうちの少なくとも１つのデータの読み取り、及び、書き込みをＩＣタグ９に行う、外部に設けられた制御装置２００（歯科用ユニットＤＵ）に接続されたリーダライタ２１０を備え、記憶した履歴を歯科用ハンドピース１の使用状況として制御装置２００から把握可能にすることが好ましい。
【００５１】
これにより、歯科用ハンドピース管理システム１００は、歯科用ハンドピース１と、リーダライタ２１０と、を備えていることで、歯科用ハンドピース１の使用時間、使用回数、滅菌回数、保守・点検の履歴のデータの読み取り、及び、書き込みを行って管理することができる。このような歯科用ハンドピース管理システム１００によって、術者は、制御装置２００から種々のデータを把握可能とすることで、術者等にそれらのデータを容易に認識させることができる。歯科用ハンドピース管理システム１００による管理は、その他、歯科用ハンドピース１の洗浄、消毒等であってもよい。また、制御装置２００は、例えば、歯科用ユニットＤＵや、滅菌装置や、パソコン等の機器であってもよい。
【００５２】
また、本発明に係る歯科用ハンドピース１の製造方法は、先端部に配設されたハンドピースヘッド２と、後端部に配設された接続部３と、ハンドピースヘッド２と接続部３とを連通する金属製パイプ４，５と、を有する歯科用ハンドピース１の製造方法であって、樹脂モールド成形によって、ハンドピースヘッド２の後端部から接続部３の先端部まで金属製パイプ４，５を覆うように弾性樹脂部材６をモールドして、弾性樹脂部材６の内部に埋設された状態で金属製パイプ４，５と、ＩＣタグ９と、を内在させていることが好ましい。
【００５３】
これにより、歯科用ハンドピース１の製造方法は、ハンドピースヘッド２の後端部から接続部３の先端部までを弾性樹脂部材６をモールドしてＩＣタグ９と金属製パイプ４，５とを内在したことで、弾性樹脂部材６をモールド成形する際に、同時にＩＣタグ９を弾性樹脂部材６内に配置することができる。このため、従来の歯科用ハンドピースの製造方法の製造工程と比較して、特別な工程を追加することなく製造することができるので、製造が容易である。
【００５４】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、既に説明した構成は、同じ符号を付してその説明を省略する。
図６は、本発明の実施形態に係る歯科用ハンドピースの第１変形例を示す一部断面を有する側面図である。
【００５５】
例えば、図６に示すように、弾性樹脂部材６Ａには、ＩＣタグ９を収容するための凹部６Ａａを形成してもよい。この場合、凹部６Ａａは、ＩＣタグ９を収容可能な大きさの空間から形成され、弾性樹脂部材６Ａ内に形成されている。
これにより、ＩＣタグ９は、弾性樹脂部材６Ａの凹部６Ａａ内に挿入して配置することができる。
【００５６】
また、凹部６Ａａは、弾性樹脂部材６Ａの外周部に形成され、ＩＣタグ９は、凹部６Ａａを蓋体６Ａｂで閉塞することによって、弾性樹脂部材６Ａに内在させたものであってもよい。
この場合、蓋体６Ａｂは、弾性樹脂部材６Ａに一体に形成して、蓋体６Ａｂの外周部に、凹部６Ａａの内壁に形成した係合溝６Ａｄに係合する係止凸部６Ａｃを形成してもよい。
これにより、ＩＣタグ９は、弾性樹脂部材６Ａの凹部６Ａａ内に挿入して、蓋体６Ａｂで凹部６Ａａを閉塞すればよいので、ＩＣタグ９を弾性樹脂部材６Ａに容易に着脱自在に設けることができる。このため、ＩＣタグ９は、歯科用ハンドピース１Ａに設置した後、容易に他のＩＣタグ９と交換することもできる。
【００５７】
［第２変形例］
図７は、本発明の実施形態に係る歯科用ハンドピースの第２変形例を示す一部断面を有する側面図である。
【００５８】
また、前記凹部６Ａａは、図７に示すように、弾性樹脂部材６Ｂの外周部に形成され、ＩＣタグ９は、凹部６Ｂａを接着剤６１Ｂ、または、合成樹脂で閉塞することによって、弾性樹脂部材６Ｂに内在させてもよい。
これにより、ＩＣタグ９は、弾性樹脂部材６Ｂの凹部６Ｂａ内に挿入して、その凹部６Ｂａを接着剤６１Ｂ、または、弾性樹脂部材６Ｂと同じ材料等の合成樹脂で閉塞して、弾性樹脂部材６Ｂに内在させるため、弾性樹脂部材６Ｂ内に容易に設けることができる。
【００５９】
この場合、ＩＣタグ９は、弾性樹脂部材６Ｂを有する既存の歯科用ハンドピース１Ｂの外周面に凹部６Ｂａを形成して、凹部６Ｂａ内のＩＣタグ９を入れた後、その凹部６Ｂａの開口部を接着剤６１Ｂで塞いでもよい。このため、ＩＣタグ９は、弾性樹脂部材６Ｂを有する歯科用ハンドピース１Ｂであれば、容易に後付けすることも可能である。
【００６０】
［第３変形例］
図８は、本発明の実施形態に係る歯科用ハンドピースの第３変形例を示す一部断面を有する側面図である。
【００６１】
また、図８に示すように、ＩＣタグ９は、弾性樹脂部材６Ｃに形成されたタグ収容穴６Ｃａに圧入させて設けてもよい。
図８に示すように、ＩＣタグ９を設置する場所は、弾性樹脂部材６Ｃがある場所であればどこでもよい。特に、タグ収容穴６Ｃａの形成場所は、歯科用ハンドピース１Ｃを使用しているときに、負荷がかからない位置に形成することが望ましい。また、タグ収容穴６Ｃａの形状は、刃物で切り裂いて形成した割れ目や、溝や、空洞状の穴であってもよい。
これにより、ＩＣタグ９は、弾性樹脂部材６Ｃの適宜な箇所に、カッター等によってタグ収容穴６Ｃａを形成して、ＩＣタグ９をタグ収容穴６Ｃａ内に押し込むことで、弾性樹脂部材６Ｃ内に配置してもよい。このようにして、ＩＣタグ９は、タグ収容穴６Ｃａに取り付け、及び、取り出し可能に配置してもよい。
なお、ＩＣタグ９をタグ収容穴６Ｃａに圧入して設ける場合は、一つのＩＣタグ９の外形形状よりも小さい凹部を設けて、その凹部にＩＣタグ９を圧入してもよい。
【００６２】
［第４変形例］
図９は、本発明の実施形態に係る歯科用ハンドピースの第４変形例を示す一部断面を有する側面図である。
【００６３】
また、ＩＣタグ９は、図９に示すように、弾性樹脂部材６Ｄの内部に配置されて、このＩＣタグ９を収納可能な凹型の嵌入部６Ｄａ内に設けてもよい。
この場合、ＩＣタグ９を設置するための嵌入部６Ｄａの設置場所は、弾性樹脂部材６Ｄがある場所であればどこでもよい。嵌入部６Ｄａの形成場所は、前記したタグ収容穴６Ｃａと同様に、歯科用ハンドピース１Ｄを使用しているときに、負荷がかからない位置に形成することが望ましい。嵌入部６Ｄａは、ＩＣタグ９を押し込んで着脱可能に挿着することが可能な穴であればよい。
これにより、ＩＣタグ９は、弾性樹脂部材６Ｄに形成した嵌入部６Ｄａに交換可能に配置することができる。
【００６４】
［第５変形例］
また、ＩＣタグ９は、金属製パイプ４，５の外周面に固定されて、弾性樹脂部材６内に埋設（インサート成形）したものであってもよい。
これにより、ＩＣタグ９は、弾性樹脂部材６内に金属製パイプ４，５をインサート成形等によって埋設する場合に、弾性樹脂部材６を樹脂で形成する際に、ＩＣタグ９を弾性樹脂部材６内に設けることができる。
その場合、ＩＣタグ９は、弾性樹脂部材６を金型成形する際、適宜な支持具を使用してＩＣタグ９を金属製パイプ４，５に保持させて、樹脂成形してもよい。
【００６５】
また、弾性樹脂部材６を形成する方法は、実施形態及び前記第５変形例の成形方法以外に、例えば、ＩＣタグ９を固定させ、ゴム材料を流し込むインジェクション成形や、コンプレッション成形、トランスファー成形等の種々の成形方法を用いて製造してもよい。
【００６６】
［第６変形例］
また、図１、図２、図４及び図５に示すＩＣタグ９は、ＲＦＩＤタグであってもよい。
これにより、ＩＣタグ９は、電池を内蔵し電波を発し、長距離で通信できるＲＦＩＤタグから成る無線タグであることによって、無線通信によって情報をやり取りすることが可能となる。
【００６７】
［第７変形例］
また、前記した制御装置２００（図３参照）は、さらに、この制御装置２００に接続されたネットワークを経由して表示装置２３０（図３参照）に、使用状況（履歴）から弾性樹脂部材６（図２参照）の交換時期を伝達可能にしたものであってもよい。
これにより、制御装置２００（例えば、歯科用ユニットＤＵ、パソコン）は、歯科用ハンドピース１の使用状況（履歴）から弾性樹脂部材６（図２参照）の交換時期を算出して、弾性樹脂部材６（図２参照）の交換時期をネットワークを経由して表示装置２３０（図３参照）に表示させて交換を促すことができる。
【００６８】
［第８変形例］
また、前記した制御装置２００は、使用状況（履歴）から弾性樹脂部材６（図２参照）の交換時期を伝達可能にした歯科用診療装置であってもよい。
これにより、制御装置２００は、歯科用ハンドピース１の使用状況（履歴）から弾性樹脂部材６（図２参照）の交換時期を算出して、弾性樹脂部材６（図２参照）の交換時期を歯科用診療装置で報知して交換を促すことができる。
【００６９】
［第９変形例］
また、図２に示す弾性樹脂部材６は、歯科用ハンドピース１に交換可能に設けられ、制御装置２００（例えば、歯科用ユニットＤＵ、パソコン）は、使用状況から弾性樹脂部材６の交換時期を表示装置２３０（図３参照）に表示して、弾性樹脂部材６の交換を必要とする場合は、歯科用ハンドピース１の弾性樹脂部材６以外の部材を残し、弾性樹脂部材６のみを交換可能にしてもよい。
これにより、弾性樹脂部材６は、使用することで、軽量化・安価等の利点を有するが、金属製の筐体を弾性樹脂部材６にしたことで汚れ等の問題点が起きることが考えられる。そのため、前記のように使用時間、滅菌回数、使用回数から使用状況を歯科用診療装置で把握し、その使用状況から交換時期を伝えることによって、弾性樹脂部材６のみを適宜交換することを可能にする。
【００７０】
図１０は、本発明の実施形態に係る歯科用ハンドピースの第９変形例を示す図であり、（ａ）は一部断面を有する側面図、（ｂ）は（ａ）のＡ−Ａ拡大断面図である。
その場合、弾性樹脂部材６Ｅは、図１０（ａ）、（ｂ）に示すように、前端から後端に亘って縦断面視してＣ字状に形成されて、軸心側に中空部６Ｅｃを有する中空状の部材（略チューブ状のカバー部材、あるいは、略筒状のケース体）から成る。このため、弾性樹脂部材６Ｅは、歯科用ハンドピース１Ｅに交換可能に設けられている。弾性樹脂部材６Ｅは、前端部６Ｅｂが、ハンドピースヘッド２の首部２ｂの外周に係合されて、後端部６Ｅａが、接続部３の前端面３ｆの外周部（鍔部）に係合されている。弾性樹脂部材６Ｅの内部の中空部６Ｅｃには、金属製パイプ４，５と、金属製パイプ４上に接着剤６１Ｅを介在して固定されたＩＣタグ９と、が収容されている。
【００７１】
弾性樹脂部材６Ｅは、正中線に沿って前端から後端に亘って下側中央に形成された切欠溝６Ｅｄを有する略筒状の被覆部材から成る。このため、切欠溝６Ｅｄは、拡開する外周方向（矢印ｂ，ｃ方向）に力を加えることで、切欠溝６Ｅｄを抉じ開けて、歯科用ハンドピース１Ｅに着脱することができる。その結果、弾性樹脂部材６Ｅは、術者の好みの色の部材に交換したり、劣化時に新品のものに交換したり、消毒したもの等に交換したり、交換自在になっている。
このように、弾性樹脂部材６Ｅは、交換可能であればよく、安価な材料で形成した使い捨てのものでもよい。この他に、弾性樹脂部材６Ｅは、着脱可能な樹脂製あるいは金属製のテープ状部材や、熱収縮性のテープ状部材等であってもよい。
【００７２】
［第１０変形例］
図１１は、本発明の実施形態に係る歯科用ハンドピースの第１０変形例を示す図であり、（ａ）は（ｂ）のＢ−Ｂ断面図、一部断面を有する側面図である。
【００７３】
また、前記第９変形例の交換可能な弾性樹脂部材６Ｅは、図１０に示すような中空部６Ｅｃを有する中空状のものに限定されるものではない。例えば、図１１に示すように、弾性樹脂部材６Ｆは、金属製パイプ４，５や、ＩＣタグ９を埋設して状態に樹脂成形した場合であっても、弾性樹脂部材６Ｆを剥がして交換することが可能である。
例えば、弾性樹脂部材６Ｆが劣化した場合には、弾性樹脂部材６Ｆをカッタナイフ等で切り裂いて剥離すればよい。その場合、弾性樹脂部材６Ｆには、ナイフ等を挿入して切り裂くための切欠溝６Ｆｄを形成しておくと、弾性樹脂部材６Ｆを切り裂いて剥離し易い。
【００７４】
［第１１変形例］
また、本発明に係る歯科用ハンドピース１Ｂの製造方法は、図７に示すように、先端部に配設されたハンドピースヘッド２と、後端部に配設された接続部３と、ハンドピースヘッド２と接続部３とを連通する金属製パイプ４，５と、を有する歯科用ハンドピース１Ｂの製造方法であって、樹脂モールド成形によって、ハンドピースヘッド２の後端部から接続部３の先端部まで金属製パイプ４，５を覆うように弾性樹脂部材６Ｂを樹脂モールド成形する第１モールド成形工程と、第１モールド成形工程で樹脂モールド成形した後にＩＣタグ９を弾性樹脂部材６Ｂに置き、再度樹脂モールド成形する第２モールド成形工程と、を有するようにしてもよい。
この場合、歯科用ハンドピース１Ｂの製造方法では、まず、第１モールド成形工程で図７に示す凹部６Ｂａを有する弾性樹脂部材６Ｂを成形する。次に、その凹部６ＢａにＩＣタグ９を収容して、前記した第２変形例の接着剤６１Ｂに換えて、第２モールド成形工程によって弾性樹脂部材６Ｂと同じ樹脂材料等で樹脂モールド成形して凹部６Ｂａを閉塞する。
このように、樹脂材料で樹脂モールド成形して凹部６Ｂａをいわゆる二色成形で閉塞してもよい。
【００７５】
［第１２変形例］
また、本発明に係る歯科用ハンドピース１の製造方法は、図２に示すように、先端部に配設されたハンドピースヘッド２と、後端部に配設された接続部３と、ハンドピースヘッド２と接続部３とを連通する金属製パイプ４，５と、を有する歯科用ハンドピース１の製造方法であって、樹脂モールド成形によって、ハンドピースヘッド２の後端部から接続部３の先端部まで金属製パイプ４，５及び金属製パイプ４，５に固定されたＩＣタグ９を覆うように弾性樹脂部材６を樹脂モールド成形して、弾性樹脂部材６の内部に埋設された状態で金属製パイプ４，５と、ＩＣタグ９と、を内在させるようにしてもよい。
このように、金属製パイプ４，５と、ＩＣタグ９とは、弾性樹脂部材６の内部に埋設してもよい。
【００７６】
［その他の変形例］
また、図２に示す歯科用ハンドピース１は、ハンドピースヘッド２内に電動モータを設置して、その電動モータに接続したリード線を金属製パイプ４，５内に挿通したり、リード線を弾性樹脂部材６内に直接挿通させたりしてもよい。
【００７７】
その場合、弾性樹脂部材６に内設された金属製パイプ４内には、電動モータ（図示省略）によって回転駆動される歯車機構を配置してもよい。
歯車機構は、例えば、電動モータのロータ軸に連動する第１連動歯車と、第１連動歯車に連動回転する第２連動歯車と、第２連動歯車よって回転されるロータギヤと、第１連動歯車及び第２連動歯車の軸部を軸支する軸受部と、を備えている。
金属製パイプ４は、第１連動歯車と、第２連動歯車と、軸受部と、を内設させる。
弾性樹脂部材６は、前記実施形態の弾性樹脂部材６と同様に、金属製パイプ４，５及びＩＣタグ９の周囲に巻き付けたテープ形状（シート形状）の巻付樹脂部材６１を高温に加熱された金型８内に配置することで、溶けてグリップ部１ａにモールド成形される有色のシリコーン樹脂等の熱硬化性樹脂から成る（図５参照）。
【００７８】
また、ＩＣタグ９は、弾性樹脂部材６が劣化した場合に、弾性樹脂部材６と共に新品の物に交換してもよい。
【符号の説明】
【００７９】
１，１Ａ，１Ｂ，１Ｃ，１Ｄ，１Ｅ，１Ｆ  歯科用ハンドピース
２      ハンドピースヘッド
３      接続部
４，５  金属製パイプ
６，６Ａ，６Ｂ，６Ｃ，６Ｄ，６Ｅ，６Ｆ  弾性樹脂部材
６Ａａ，６Ｂａ  凹部
６Ａｂ  蓋体
６Ｃａ  タグ収容穴
６Ｄａ  嵌入部
９      ＩＣタグ
６１Ｂ，６１Ｅ  接着剤
１００  歯科用ハンドピース管理システム
２００  制御装置
２１０  リーダライタ
２３０，３２０，４２０，５２０  表示装置
ＤＵ    歯科用ユニット
【図１】
2019126535.tif 000003
【図２】
2019126535.tif 000004
【図３】
2019126535.tif 000005
【図４】
2019126535.tif 000006
【図５】
2019126535.tif 000007
【図６】
2019126535.tif 000008
【図７】
2019126535.tif 000009
【図８】
2019126535.tif 000010
【図９】
2019126535.tif 000011
【図１０】
2019126535.tif 000012
【図１１】
2019126535.tif 000013